(57)【要約】【課題】フォーカス群の軽量化と防振機能とを両立しつつ、光学全長のコンパクト化が可能な変倍光学系，それを備えた撮像光学装置及びデジタル機器を提供する。【解決手段】ズームレンズＺＬは、物体側から順に正の第１群Ｇｒ１と負の第２群Ｇｒ２と正の第３群Ｇｒ３と正の第４群Ｇｒ４と負の第５群Ｇｒ５を有し、第４群Ｇｒ４がフォーカス群であり、第５群Ｇｒ５が防振群ＧｒＶである。条件式：４．０＜｜ｆ１／ｆ２｜＜６．０，１．０＜ｆ４／ｆ１＜１．５，２．０＜｜ｆ４／ｆｖ｜＜４．０（ｆ１，ｆ２，ｆ４：第１群Ｇｒ１，第２群Ｇｒ２，第４群Ｇｒ４の焦点距離、ｆｖ：防振群ＧｒＶの焦点距離）を満足する。【選択図】図１
2014238549.tif 000002
【特許請求の範囲】
【請求項１】
物体側から順に、正パワーの第１群と、負パワーの第２群と、正パワーの第３群と、正パワーの第４群と、負パワーの第５群と、を有し、軸上での各群間隔を全て変化させることにより広角端から望遠端までの変倍を行う変倍光学系であって、
前記第４群をフォーカス群として光軸方向に移動させることによりフォーカシングを行い、
前記第５群の全体又は一部を防振群として光軸に対し垂直方向に移動させることにより防振を行い、
以下の条件式（１）〜（３）を満足することを特徴とする変倍光学系；
４．０＜｜ｆ１／ｆ２｜＜６．０  …（１）
１．０＜ｆ４／ｆ１＜１．５  …（２）
２．０＜｜ｆ４／ｆｖ｜＜４．０  …（３）
ただし、
ｆ１：第１群の焦点距離、
ｆ２：第２群の焦点距離、
ｆ４：第４群の焦点距離、
ｆｖ：防振群の焦点距離、
である。
【請求項２】
以下の条件式（４）を満足することを特徴とする請求項１記載の変倍光学系；
２．５＜ｆ４／ｆ３＜４．５  …（４）
ただし、
ｆ３：第３群の焦点距離、
ｆ４：第４群の焦点距離、
である。
【請求項３】
前記第２群と前記第３群との間に絞りを有することを特徴とする請求項１又は２記載の変倍光学系。
【請求項４】
前記防振群が、単一レンズからなるか、又は負レンズと正レンズとを接合した接合レンズからなることを特徴とする請求項１〜３のいずれか１項に記載の変倍光学系。
【請求項５】
以下の条件式（５）を満足することを特徴とする請求項１〜４のいずれか１項に記載の変倍光学系；
０．１＜（Ｒ５Ａ＋Ｒ５Ｂ）／（Ｒ５Ａ−Ｒ５Ｂ）＜０．７０  …（５）
ただし、
Ｒ５Ａ：防振群において最も物体側に配置された面の曲率半径、
Ｒ５Ｂ：防振群において像側に凹面を向けた面の曲率半径、
である。
【請求項６】
前記フォーカス群が、単一レンズからなるか、又は負レンズと正レンズとを接合した接合レンズからなることを特徴とする請求項１〜５のいずれか１項に記載の変倍光学系。
【請求項７】
以下の条件式（６）を満足することを特徴とする請求項１〜６のいずれか１項に記載の変倍光学系；
１．０＜（Ｒ４Ａ＋Ｒ４Ｂ）／（Ｒ４Ａ−Ｒ４Ｂ）＜１．２  …（６）
ただし、
Ｒ４Ａ：第４群において最も物体側の面の曲率半径、
Ｒ４Ｂ：第４群において最も像側の面の曲率半径、
である。
【請求項８】
請求項１〜７のいずれか１項に記載の変倍光学系と、受光面上に形成された光学像を電気的な信号に変換する撮像素子と、を備え、前記撮像素子の受光面上に被写体の光学像が形成されるように前記変倍光学系が設けられていることを特徴とする撮像光学装置。
【請求項９】
請求項８記載の撮像光学装置を備えることにより、被写体の静止画撮影，動画撮影のうちの少なくとも一方の機能が付加されたことを特徴とするデジタル機器。
【発明の詳細な説明】
【技術分野】
【０００１】
本発明は変倍光学系，撮像光学装置及びデジタル機器に関するものである。例えば、被写体の映像を撮像素子で取り込むレンズ交換式デジタルカメラに適したコンパクトな変倍光学系と、その変倍光学系及び撮像素子で取り込んだ被写体の映像を電気的な信号として出力する撮像光学装置と、その撮像光学装置を搭載したデジタルカメラ等の画像入力機能付きデジタル機器と、に関するものである。
【背景技術】
【０００２】
近年、一眼レフカメラから跳ね上げミラーを取り除いたミラーレスレンズ交換式カメラのコンパクト性がユーザーに受け入れられて、その市場が拡大しつつある。そのようなミラーレスレンズ交換式カメラのなかには、従来の一眼レフカメラにおいて主流であった位相差ＡＦ(autofocus)を用いることができないものも存在する。そのようなカメラでは、フォーカス群を走査してコントラストが最大になる場所を探すことで合焦を行う、いわゆるコントラストＡＦを用いることになる。
【０００３】
そこで課題となるのが、フォーカス群の重量である。位相差ＡＦの場合、ＡＦセンサーからの情報を用い、合焦させるのに必要なフォーカス群の移動量を算出できるため、その量にしたがってフォーカス群を移動させることができる。一方、コントラストＡＦの場合、ＡＦセンサーから得られる情報はその瞬間のコントラスト値のみであり、フォーカス群を移動させて、その時々のコントラストの変化を読み取りながら、コントラストが最大となる場所を探すことで合焦動作を行うことになる。したがって、合焦までに移動するフォーカス群の移動量をコントラストＡＦと位相差ＡＦとで比較した場合、前者の場合が圧倒的に大きくなる。
【０００４】
以上の点から、コントラストＡＦに対応しようとする変倍光学系においては、フォーカス群の軽量化が大きなポイントとなる（例えば、特許文献１，２参照。）。
【先行技術文献】
【特許文献】
【０００５】
【特許文献１】特開２０１２−１４００５号公報
【特許文献２】特開２０１２−２２５９８７号公報
【発明の概要】
【発明が解決しようとする課題】
【０００６】
上記特許文献１に記載されているズームレンズでは、フォーカス群として第２群を用いており、フォーカス群の軽量化という点では不十分である。また、特許文献２に記載されているズームレンズでは、負のパワーを持つ単品レンズからなる第４群をフォーカス群として用いることとにより、フォーカス群の軽量化を図っており、通常の正負正正タイプのズームレンズの第２群を正負正に分割してフォーカス群を配置する構成となっている。物体側から正負正〜を含むズームレンズにおいては、１−２群間隔と２−３群間隔の変化による変倍作用が、光学系全体の変倍作用の主な部分を担っている。しかしながら、特許文献２に記載の構成では、第２群を分割したことにより第２群〜第５群での変倍比が小さくなっており、第６群で変倍比を主に担う必要があるため、所望のズーム比を達成する際に望遠端での光学全長が大きくなるという問題がある。
【０００７】
また、従来では比較的望遠系のレンズのみに防振機能が搭載されていたが、ズームレンズの高倍率化が進むに伴ってズームレンズへの防振機能の搭載が進み、その流れを汲んで近年では低倍率系のズームレンズにも防振機能の搭載が進んでいる。そして、撮像センサーを光軸に対して垂直な面内で移動させて防振を行う撮像装置も存在し、防振機能は半ば標準的な機能という位置づけになりつつある。
【０００８】
本発明はこのような状況に鑑みてなされたものであって、その目的は、フォーカス群の軽量化と防振機能とを両立しつつ、光学全長のコンパクト化が可能な変倍光学系，それを備えた撮像光学装置及びデジタル機器を提供することにある。
【課題を解決するための手段】
【０００９】
上記目的を達成するために、第１の発明の変倍光学系は、物体側から順に、正パワーの第１群と、負パワーの第２群と、正パワーの第３群と、正パワーの第４群と、負パワーの第５群と、を有し、軸上での各群間隔を全て変化させることにより広角端から望遠端までの変倍を行う変倍光学系であって、
前記第４群をフォーカス群として光軸方向に移動させることによりフォーカシングを行い、
前記第５群の全体又は一部を防振群として光軸に対し垂直方向に移動させることにより防振を行い、
以下の条件式（１）〜（３）を満足することを特徴とする。
４．０＜｜ｆ１／ｆ２｜＜６．０  …（１）
１．０＜ｆ４／ｆ１＜１．５  …（２）
２．０＜｜ｆ４／ｆｖ｜＜４．０  …（３）
ただし、
ｆ１：第１群の焦点距離、
ｆ２：第２群の焦点距離、
ｆ４：第４群の焦点距離、
ｆｖ：防振群の焦点距離、
である。
【００１０】
第２の発明の変倍光学系は、上記第１の発明において、以下の条件式（４）を満足することを特徴とする。
２．５＜ｆ４／ｆ３＜４．５  …（４）
ただし、
ｆ３：第３群の焦点距離、
ｆ４：第４群の焦点距離、
である。
【００１１】
第３の発明の変倍光学系は、上記第１又は第２の発明において、前記第２群と前記第３群との間に絞りを有することを特徴とする。
【００１２】
第４の発明の変倍光学系は、上記第１〜第３のいずれか１つの発明において、前記防振群が、単一レンズからなるか、又は負レンズと正レンズとを接合した接合レンズからなることを特徴とする。
【００１３】
第５の発明の変倍光学系は、上記第１〜第４のいずれか１つの発明において、以下の条件式（５）を満足することを特徴とする。
０．１＜（Ｒ５Ａ＋Ｒ５Ｂ）／（Ｒ５Ａ−Ｒ５Ｂ）＜０．７０  …（５）
ただし、
Ｒ５Ａ：防振群において最も物体側に配置された面の曲率半径、
Ｒ５Ｂ：防振群において像側に凹面を向けた面の曲率半径、
である。
【００１４】
第６の発明の変倍光学系は、上記第１〜第５のいずれか１つの発明において、前記フォーカス群が、単一レンズからなるか、又は負レンズと正レンズとを接合した接合レンズからなることを特徴とする。
【００１５】
第７の発明の変倍光学系は、上記第１〜第６のいずれか１つの発明において、以下の条件式（６）を満足することを特徴とする。
１．０＜（Ｒ４Ａ＋Ｒ４Ｂ）／（Ｒ４Ａ−Ｒ４Ｂ）＜１．２  …（６）
ただし、
Ｒ４Ａ：第４群において最も物体側の面の曲率半径、
Ｒ４Ｂ：第４群において最も像側の面の曲率半径、
である。
【００１６】
第８の発明の撮像光学装置は、上記第１〜第７のいずれか１つの発明に係る変倍光学系と、受光面上に形成された光学像を電気的な信号に変換する撮像素子と、を備え、前記撮像素子の受光面上に被写体の光学像が形成されるように前記変倍光学系が設けられていることを特徴とする。
【００１７】
第９の発明のデジタル機器は、上記第８の発明に係る撮像光学装置を備えることにより、被写体の静止画撮影，動画撮影のうちの少なくとも一方の機能が付加されたことを特徴とする。
【発明の効果】
【００１８】
本発明によれば、フォーカス群の軽量化と防振機能とを両立しつつ、光学全長のコンパクト化が可能な変倍光学系及び撮像光学装置を実現することができる。その変倍光学系又は撮像光学装置をデジタル機器（例えばデジタルカメラ）に用いることによって、デジタル機器に対して高性能の画像入力機能をコンパクトに付加することが可能となる。
【図面の簡単な説明】
【００１９】
【図１】第１の実施の形態（実施例１）の光学構成図。
【図２】第２の実施の形態（実施例２）の光学構成図。
【図３】第３の実施の形態（実施例３）の光学構成図。
【図４】第４の実施の形態（実施例４）の光学構成図。
【図５】実施例１の縦収差図。
【図６】実施例２の縦収差図。
【図７】実施例３の縦収差図。
【図８】実施例４の縦収差図。
【図９】実施例１の広角端での横収差図。
【図１０】実施例１の中間焦点距離状態での横収差図。
【図１１】実施例１の望遠端での横収差図。
【図１２】実施例２の広角端での横収差図。
【図１３】実施例２の中間焦点距離状態での横収差図。
【図１４】実施例２の望遠端での横収差図。
【図１５】実施例３の広角端での横収差図。
【図１６】実施例３の中間焦点距離状態での横収差図。
【図１７】実施例３の望遠端での横収差図。
【図１８】実施例４の広角端での横収差図。
【図１９】実施例４の中間焦点距離状態での横収差図。
【図２０】実施例４の望遠端での横収差図。
【図２１】変倍光学系を搭載したデジタル機器の概略構成例を示す模式図。
【発明を実施するための形態】
【００２０】
以下、本発明に係る変倍光学系，撮像光学装置及びデジタル機器を説明する。本発明に係る変倍光学系は、物体側から順に、正パワーの第１群と、負パワーの第２群と、正パワーの第３群と、正パワーの第４群と、負パワーの第５群と、を有し（パワー：焦点距離の逆数で定義される量）、軸上での各群間隔を全て変化させることにより広角端から望遠端までの変倍を行う変倍光学系であって、前記第４群をフォーカス群として光軸方向に移動させることによりフォーカシングを行い、前記第５群の全体又は一部を防振群として光軸に対し垂直方向に移動させることにより防振（つまり手振れ補正）を行う構成になっている。
【００２１】
上記のように物体側から順に正負正正を含む構成を採用することにより、１〜２群と２〜３群の群間隔変化で変倍負担の主たる割合を担わせることが可能となり、その結果、光学全長の点で有利な構成となる。フォーカシングを第４群で行うことにより、フォーカスを担う群と、変倍を担う群と、を分割しているため、各変倍状態において良好なフォーカシングを実現することができる。また、第５群に防振群を配置することにより、フォーカス群である第４群よりも後方で防振することが可能になるため、無限から近接にわたる各フォーカシング状態において防振群への軸外光束の入射位置差を小さくすることができる。したがって、良好な防振が可能になるという利点がある。
【００２２】
上記構成において高性能化を達成する上で、以下の条件式（１）〜（３）を満足することが望ましい。
４．０＜｜ｆ１／ｆ２｜＜６．０  …（１）
１．０＜ｆ４／ｆ１＜１．５  …（２）
２．０＜｜ｆ４／ｆｖ｜＜４．０  …（３）
ただし、
ｆ１：第１群の焦点距離、
ｆ２：第２群の焦点距離、
ｆ４：第４群の焦点距離、
ｆｖ：防振群の焦点距離、
である。
【００２３】
条件式（１）は、第１群と第２群との焦点距離比を規定している。条件式（１）の下限を下回ると、第１群のパワーが大きくなりすぎて１〜２群間での変倍負担が大きくなるため、マイナス方向のコマ収差が増大する。条件式（１）の上限を上回ると、第２群のパワーが大きくなりすぎて２〜３群間での変倍負担が大きくなるため、プラス方向のコマ収差が顕著となる。したがって、条件式（１）を満たすことにより、変倍時の高性能化をバランス良く達成することが可能になる。
【００２４】
条件式（２）は、第４群と第１群との焦点距離比を規定している。条件式（２）の下限を下回ると、第４群のパワーが大きくなりすぎて、合焦時に非点収差，コマ収差の変動が顕著となる。条件式（２）の上限を上回ると、第４群のパワーが小さくなりすぎて、合焦時の第４群の移動量が（特に望遠端で）増大するため、軸上色収差及び球面収差の変動が大きくなる。したがって、条件式（２）を満たすことにより、フォーカス時の高性能化をバランス良く達成することが可能になる。
【００２５】
条件式（３）は、防振群と第４群との焦点距離比を規定している。条件式（３）の下限を下回ると、防振群のパワーが小さくなりすぎて、防振に要する防振群の偏心量が増大して倍率色収差変動が大きくなる。条件式（３）の上限を上回ると、防振群のパワーが大きくなりすぎて、防振時のコマ収差変動が大きくなる。したがって、条件式（３）を満たすことにより、防振時の高性能化をバランス良く達成することが可能になる。
【００２６】
上記特徴的構成によると、フォーカス群の軽量化と防振機能とを両立しつつ、光学全長のコンパクト化が可能な変倍光学系及び撮像光学装置を実現することができる。その防振機能を有する小型化された変倍光学系又は撮像光学装置をデジタルカメラ等のデジタル機器に用いれば、デジタル機器に対して高性能の画像入力機能をコンパクトに付加することが可能となり、デジタル機器のコンパクト化，低コスト化，高性能化，高機能化等に寄与することができる。例えば、本発明に係る変倍光学系は、ミラーレスタイプのレンズ交換式デジタルカメラ用の交換レンズとして好適であるため、持ち運びに便利な軽量・小型の交換レンズを実現することができる。こういった効果をバランス良く得るとともに、更に高い光学性能，小型化等を達成するための条件等を以下に説明する。
【００２７】
以下の条件式（４）を満足することが望ましい。
２．５＜ｆ４／ｆ３＜４．５  …（４）
ただし、
ｆ３：第３群の焦点距離、
ｆ４：第４群の焦点距離、
である。
【００２８】
条件式（４）は、第３群と第４群との焦点距離比を規定している。条件式（４）の下限を下回ると、第３群のパワーが小さくなりすぎて、２〜３群間隔での変倍負担が小さくなることに伴い第４群の変倍負担が増大することとなり、フォーカシング領域全体にわたって良好な性能を実現することが困難になる。条件式（４）の上限を上回ると、第３群のパワーが大きくなりすぎて、変倍時に２〜３群間隔での負担が大きくなり、コマ収差変動が大きくなる。したがって、条件式（４）を満たすことにより、変倍時及びフォーカス時の高性能化をバランス良く達成することが可能になる。
【００２９】
前記第２群と前記第３群との間に絞りを有することが望ましい。絞りを第２群と第３群との間に配置することにより、第２群で発生する非点収差及びコマ収差を、第３群以降の群で補正することが可能となり、変倍領域全体にわたって、非点収差及びコマ収差を良好に補正することができる。したがって、変倍光学系における絞り位置を２〜３群間に設定することが好ましい。
【００３０】
前記防振群が、単一レンズからなるか、又は負レンズと正レンズとを接合した接合レンズからなることが望ましい。このように防振群の構成枚数を限定することにより、防振群の重量を抑制することができるため、防振群の駆動に必要な部材等を削減することができる。したがって、光学系サイズの小型化に有利である。
【００３１】
以下の条件式（５）を満足することが望ましい。
０．１＜（Ｒ５Ａ＋Ｒ５Ｂ）／（Ｒ５Ａ−Ｒ５Ｂ）＜０．７０  …（５）
ただし、
Ｒ５Ａ：防振群において最も物体側に配置された面の曲率半径、
Ｒ５Ｂ：防振群において像側に凹面を向けた面の曲率半径、
である。
【００３２】
防振群の最も物体側の面は、物体側に凹面を向けていることが望ましい。さらに、防振群は像面側に凹面を向けたレンズ面を少なくとも１面有することが望ましい。このような構成を取ることにより、防振時のコマ収差変動を抑制することが可能となり、良好な防振性能を実現することができる。そして、防振群のレンズ面形状を具体的に規定しているのが条件式（５）である。条件式（５）の条件式範囲を外れると、防振時に発生するコマ収差変動を抑制することが困難となり、防振時の性能劣化が顕著となる。例えば、条件式（５）の下限を下回ると、防振時にコマ収差がプラス方向に大きく変動し、条件式（５）の上限を上回ると、防振時にコマ収差がマイナス方向に大きく変動する。したがって、条件式（５）を満たすことにより、防振時の高性能化をバランス良く達成することが可能になる。
【００３３】
前記フォーカス群が、単一レンズからなるか、又は負レンズと正レンズとを接合した接合レンズからなることが望ましい。このようにフォーカス群の構成枚数を限定することにより、フォーカス群の重量を低減することができ、コントラストＡＦに適した構成にすることが可能となる。
【００３４】
以下の条件式（６）を満足することが望ましい。
１．０＜（Ｒ４Ａ＋Ｒ４Ｂ）／（Ｒ４Ａ−Ｒ４Ｂ）＜１．２  …（６）
ただし、
Ｒ４Ａ：第４群において最も物体側の面の曲率半径、
Ｒ４Ｂ：第４群において最も像側の面の曲率半径、
である。
【００３５】
フォーカス群である第４群は、物体側に凹面を向けたメニスカス形状を有することが望ましい。物体側に凹面を向けた正のメニスカスレンズをフォーカス群として用いることにより、フォーカスによるコマ収差，非点収差の変動を抑制することができる。そして、フォーカス群のレンズ面形状を具体的に規定しているのが条件式（６）である。条件式（６）の上限を上回ると、フォーカス群のパワーが小さくなりすぎて、特に望遠状態でのフォーカシングにおいてフォーカス群の移動量が大きくなるため、フォーカシングによる軸上色収差変動及び球面収差の変動が大きくなる。条件式（６）の下限を下回ると、フォーカス群の像側面のパワーが大きくなることにより、軸外光束の入射位置がフォーカシングによって変化することによる非点収差及びコマ収差の変動が大きくなる。したがって、条件式（６）を満たすことにより、フォーカス時の高性能化をバランス良く達成することが可能になる。
【００３６】
本発明に係る変倍光学系は、画像入力機能付きデジタル機器（例えば、デジタルカメラ）用の撮像レンズとしての使用に適しており、これを撮像素子等と組み合わせることにより、被写体の映像を光学的に取り込んで電気的な信号として出力する撮像光学装置を構成することができる。撮像光学装置は、被写体の静止画撮影や動画撮影に用いられるカメラの主たる構成要素を成す光学装置であり、例えば、物体（すなわち被写体）側から順に、物体の光学像を形成する変倍光学系（例えば、ズームレンズ）と、その変倍光学系により形成された光学像を電気的な信号に変換する撮像素子と、を備えることにより構成される。そして、撮像素子の受光面（すなわち撮像面）上に被写体の光学像が形成されるように、前述した特徴的構成を有する変倍光学系が配置されることにより、小型・低コストで高い性能を有する撮像光学装置やそれを備えたデジタル機器を実現することができる。
【００３７】
画像入力機能付きデジタル機器の例としては、デジタルカメラ，ビデオカメラ，監視カメラ，車載カメラ，テレビ電話用カメラ等のカメラが挙げられる。また、パーソナルコンピューター，携帯用デジタル機器（例えば、携帯電話，スマートフォン（高機能携帯電話），モバイルコンピューター等），これらの周辺機器（スキャナー，プリンター等），その他のデジタル機器等に内蔵又は外付けによりカメラ機能が搭載されたものが挙げられる。これらの例から分かるように、撮像光学装置を用いることによりカメラを構成することができるだけでなく、各種機器に撮像光学装置を搭載することによりカメラ機能を付加することが可能である。例えば、カメラ付き携帯電話等の画像入力機能付きデジタル機器を構成することが可能である。
【００３８】
図２１に、画像入力機能付きデジタル機器の一例として、デジタル機器ＤＵの概略構成例を模式的断面で示す。図２１に示すデジタル機器ＤＵに搭載されている撮像光学装置ＬＵは、物体（すなわち被写体）側から順に、物体の光学像（像面）ＩＭを変倍可能に形成するズームレンズＺＬ（ＡＸ：光軸）と、平行平面板ＰＴ（撮像素子ＳＲのカバーガラス；必要に応じて配置される光学的ローパスフィルター，赤外カットフィルター等の光学フィルター等に相当する。）と、ズームレンズＺＬにより受光面（撮像面）ＳＳ上に形成された光学像ＩＭを電気的な信号に変換する撮像素子ＳＲと、を備えている。この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して着脱自在又は回動自在に構成することが可能である。
【００３９】
ズームレンズＺＬは、正負正正負の５群を有し、各軸上群間隔を全て変化させることにより広角端から望遠端までの変倍（すなわちズーミング）を行う変倍光学系であって、第４群をフォーカス群として光軸ＡＸ方向に移動させることによりフォーカシングを行い、第５群の全体又は一部を防振群として光軸ＡＸに対し垂直方向に移動させることにより防振を行う構成になっている。撮像素子ＳＲとしては、例えば複数の画素を有するＣＣＤ(Charge Coupled Device)型イメージセンサー，ＣＭＯＳ(Complementary Metal-Oxide Semiconductor)型イメージセンサー等の固体撮像素子が用いられる。ズームレンズＺＬは、撮像素子ＳＲの光電変換部である受光面ＳＳ上に被写体の光学像ＩＭが形成されるように設けられているので、ズームレンズＺＬによって形成された光学像ＩＭは、撮像素子ＳＲによって電気的な信号に変換される。
【００４０】
デジタル機器ＤＵは、撮像光学装置ＬＵの他に、信号処理部１，制御部２，メモリー３，操作部４，表示部５等を備えている。撮像素子ＳＲで生成した信号は、信号処理部１で所定のデジタル画像処理や画像圧縮処理等が必要に応じて施され、デジタル映像信号としてメモリー３（半導体メモリー，光ディスク等）に記録されたり、場合によってはケーブルを介したり赤外線信号等に変換されたりして他の機器に伝送される（例えば携帯電話の通信機能）。制御部２はマイクロコンピューターからなっており、撮影機能（静止画撮影機能，動画撮影機能等），画像再生機能等の機能の制御；ズーミング，フォーカシング，手振れ補正等のためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリー３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【００４１】
ここで、第１〜第４の実施の形態を挙げて、ズームレンズＺＬの具体的な光学構成を更に詳しく説明する。図１〜図４は、第１〜第４の実施の形態を構成するズームレンズＺＬにそれぞれ対応する光学構成図であり、広角端（Ｗ），中間焦点距離状態（Ｍ），望遠端（Ｔ）でのレンズ配置，レンズ形状等を光学断面で示している。第１〜第４の実施の形態（図１〜図４）では、物体側から順に、正パワーを有する第１群Ｇｒ１と、負パワーを有する第２群Ｇｒ２と、正パワーを有する第３群Ｇｒ３と、正パワーを有する第４群Ｇｒ４と、負パワーを有する第５群Ｇｒ５と、を含み、軸上での各群間隔を全て変化させることにより広角端（Ｗ）から望遠端（Ｔ）までの変倍（すなわちズーミング）を行う構成になっている。
【００４２】
変倍時には、第１群Ｇｒ１，第２群Ｇｒ２，第３群Ｇｒ３，第４群Ｇｒ４及び第５群Ｇｒ５が像面ＩＭに対して相対的にそれぞれ移動する。絞りＳＴは第３群Ｇｒ３の物体側に位置しており、ズーミングにおいて第３群Ｇｒ３と共に移動する。フォーカシング時には、第４群Ｇｒ４が光軸ＡＸに沿って移動する。つまり、第４群Ｇｒ４はフォーカス群であり、矢印ｍＦで示すように、近距離物体へのフォーカシングにおいて物体側へ移動する。第５群Ｇｒ５の全体又は第５群Ｇｒ５において最も物体側のレンズを含むサブ群が防振群ＧｒＶであり、矢印ｍＶで示すように、光軸ＡＸに対して垂直に移動することにより手振れ補正が行われる。
【００４３】
ズームレンズＺＬの第１の実施の形態（図１）は、正負正正負正の６群で変倍時に第１群Ｇｒ１〜第５群Ｇｒ５が可動、第６群Ｇｒ６が固定のズーム構成になっている。第４群Ｇｒ４がフォーカス群として作用し、第５群Ｇｒ５が防振群として作用する。広角端（Ｗ）から望遠端（Ｔ）への変倍において、第１群Ｇｒ１は物体側に単調に移動し、第２群Ｇｒ２は像側に単調に移動し、第３群Ｇｒ３は物体側に単調に移動し、第４群Ｇｒ４は一旦物体側に移動した後に像側にＵターンし、第５群Ｇｒ５は物体側に単調に移動する。
【００４４】
ズームレンズＺＬの第２の実施の形態（図２）は、正負正正負の５群で変倍時に第１群Ｇｒ１〜第５群Ｇｒ５が可動のズーム構成になっている。第４群Ｇｒ４がフォーカス群として作用し、第５群Ｇｒ５内の最も物体側のレンズが防振群として作用する。広角端（Ｗ）から望遠端（Ｔ）への変倍において、第１群Ｇｒ１は物体側に単調に移動し、第２群Ｇｒ２は像側に単調に移動し、第３群Ｇｒ３は物体側に単調に移動し、第４群Ｇｒ４は一旦物体側に移動した後に像側にＵターンし、第５群Ｇｒ５は一旦物体側に移動した後に像側にＵターンする。
【００４５】
ズームレンズＺＬの第３の実施の形態（図３）は、正負正正負の５群で変倍時に第１群Ｇｒ１〜第５群Ｇｒ５が可動のズーム構成になっている。第４群Ｇｒ４がフォーカス群として作用し、第５群Ｇｒ５内の最も物体側の接合レンズが防振群として作用する。広角端（Ｗ）から望遠端（Ｔ）への変倍において、第１群Ｇｒ１は物体側に単調に移動し、第２群Ｇｒ２は像側に単調に移動し、第３群Ｇｒ３は物体側に単調に移動し、第４群Ｇｒ４は一旦物体側に移動した後に像側にＵターンし、第５群Ｇｒ５は一旦物体側に移動した後に像側にＵターンする。
【００４６】
ズームレンズＺＬの第４の実施の形態（図４）は、正負正正負の５群で変倍時に第１群Ｇｒ１〜第５群Ｇｒ５が可動のズーム構成になっている。第４群Ｇｒ４がフォーカス群として作用し、第５群Ｇｒ５内の最も物体側の接合レンズが防振群として作用する。広角端（Ｗ）から望遠端（Ｔ）への変倍において、第１群Ｇｒ１は物体側に単調に移動し、第２群Ｇｒ２は像側に単調に移動し、第３群Ｇｒ３は物体側に単調に移動し、第４群Ｇｒ４は一旦物体側に移動した後に像側にＵターンし、第５群Ｇｒ５は一旦物体側に移動した後に像側にＵターンする。
【００４７】
第１の実施の形態（図１）における各群は、近軸の面形状で各レンズを見た場合、物体側から順に以下のように構成されている。第１群Ｇｒ１は、像側に凹の負メニスカスレンズ及び物体側に凸の正メニスカスレンズからなる接合レンズと、物体側に凸の正メニスカスレンズと、で構成されている。第２群Ｇｒ２は、像側に凹の負メニスカスレンズと、両凹の負レンズと、両凸の正レンズと、物体側に凹の負メニスカスレンズと、で構成されている。第３群Ｇｒ３は、両面非球面からなる両凸の正レンズと、両凹の負レンズ及び両凸の正レンズからなる接合レンズと、からなっており、第３群Ｇｒ３の物体側には絞りＳＴが配置されている。第４群Ｇｒ４は、両面非球面からなる像側に凸の正メニスカスレンズ１枚で構成されている。第５群Ｇｒ５は、両凹の負レンズ１枚（防振群ＧｒＶ）で構成されている。第６群Ｇｒ６は、両凸の正レンズ１枚で構成されている。
【００４８】
第２の実施の形態（図２）における各群は、近軸の面形状で各レンズを見た場合、物体側から順に以下のように構成されている。第１群Ｇｒ１は、像側に凹の負メニスカスレンズ及び物体側に凸の正メニスカスレンズからなる接合レンズと、物体側に凸の正メニスカスレンズと、で構成されている。第２群Ｇｒ２は、両凹の負レンズ２枚と、両凸の正レンズ及び両凹の負レンズからなる接合レンズと、で構成されている。第３群Ｇｒ３は、両面非球面からなる両凸の正レンズと、両凹の負レンズ及び両凸の正レンズからなる接合レンズと、からなっており、第３群Ｇｒ３の物体側には絞りＳＴが配置されている。第４群Ｇｒ４は、両面非球面からなる像側に凸の正メニスカスレンズ１枚で構成されている。第５群Ｇｒ５は、両凹の負レンズ（防振群ＧｒＶ）と、両凸の正レンズと、で構成されている。
【００４９】
第３の実施の形態（図３）における各群は、近軸の面形状で各レンズを見た場合、物体側から順に以下のように構成されている。第１群Ｇｒ１は、像側に凹の負メニスカスレンズ及び物体側に凸の正メニスカスレンズからなる接合レンズと、物体側に凸の正メニスカスレンズと、で構成されている。第２群Ｇｒ２は、両凹の負レンズ２枚と、両凸の正レンズと、で構成されている。第３群Ｇｒ３は、両面非球面からなる両凸の正レンズと、両凹の負レンズ及び両凸の正レンズからなる接合レンズと、からなっており、第３群Ｇｒ３の物体側には絞りＳＴが配置されている。第４群Ｇｒ４は、両面非球面からなる像側に凸の正メニスカスレンズ１枚で構成されている。第５群Ｇｒ５は、両凹の負レンズ及び物体側に凸の正メニスカスレンズからなる接合レンズ（防振群ＧｒＶ）と、両凸の正レンズと、で構成されている。
【００５０】
第４の実施の形態（図４）における各群は、近軸の面形状で各レンズを見た場合、物体側から順に以下のように構成されている。第１群Ｇｒ１は、像側に凹の負メニスカスレンズ及び物体側に凸の正メニスカスレンズからなる接合レンズと、物体側に凸の正メニスカスレンズと、で構成されている。第２群Ｇｒ２は、両凹の負レンズ２枚と、両凸の正レンズと、で構成されている。第３群Ｇｒ３は、両面非球面からなる両凸の正レンズと、両凹の負レンズ及び両凸の正レンズからなる接合レンズと、からなっており、第３群Ｇｒ３の物体側には絞りＳＴが配置されている。第４群Ｇｒ４は、物体側面が非球面からなる両凸の正レンズと、像側面が非球面からなる物体側に凹の負メニスカスレンズと、からなる接合レンズで構成されている。第５群Ｇｒ５は、両凹の負レンズ及び像側に凹の負メニスカスレンズからなる接合レンズ（防振群ＧｒＶ）と、両凸の正レンズと、で構成されている。
【実施例】
【００５１】
以下、本発明を実施した変倍光学系の構成等を、実施例のコンストラクションデータ等を挙げて更に具体的に説明する。ここで挙げる実施例１〜４（ＥＸ１〜４）は、前述した第１〜第４の実施の形態にそれぞれ対応する数値実施例であり、第１〜第４の実施の形態を表す光学構成図（図１〜図４）は、対応する実施例１〜４のレンズ配置，レンズ形状等をそれぞれ示している。
【００５２】
各実施例のコンストラクションデータでは、面データとして、左側の欄から順に、面番号，曲率半径ｒ（ｍｍ），軸上面間隔ｄ（ｍｍ），ｄ線（波長５８７．５６ｎｍ）に関する屈折率ｎｄ，ｄ線に関するアッベ数ｖｄを示す。面番号に＊が付された面は非球面であり、その面形状は面頂点を原点とするローカルな直交座標系（ｘ，ｙ，ｚ）を用いた以下の式（ＡＳ）で定義される。非球面データとして、非球面係数等を示す。なお、各実施例の非球面データにおいて表記の無い項の係数は０であり、すべてのデータに関してＥ−ｎ＝×１０-nである。
ｚ＝（ｃ・ｈ2）／［１＋√｛１−（１＋Ｋ）・ｃ2・ｈ2｝］＋Σ（Ａｊ・ｈj）  …（ＡＳ）
ただし、
ｈ：ｚ軸（光軸ＡＸ）に対して垂直な方向の高さ（ｈ2＝ｘ2＋ｙ2）、
ｚ：高さｈの位置での光軸ＡＸ方向のサグ量（面頂点基準）、
ｃ：面頂点での曲率（曲率半径ｒの逆数）、
Ｋ：円錐定数、
Ａｊ：ｊ次の非球面係数、
である。
【００５３】
各種データとして、ズーム比（変倍比）を示し、さらに各焦点距離状態Ｗ，Ｍ，Ｔについて、全系の焦点距離（ｆ，ｍｍ），Ｆナンバー（ＦＮＯ），半画角（ω，°），像高（Ｙ’，ｍｍ），レンズ全長（ＴＬ，ｍｍ），バックフォーカス（ＢＦ，ｍｍ），及び可変面間隔ｄｉ（ｉ：面番号，ｍｍ）を示し、ズームレンズ群データとして、各レンズ群の焦点距離（ｆ１，ｆ２，ｆ３，ｆ４，ｆ５，ｆ６；ｍｍ）を示す。ただし、ここで使っているバックフォーカスＢＦは平行平面板ＰＴの像側面から像面ＩＭまでの距離であり、レンズ全長ＴＬはレンズ最前面から像面ＩＭまでの距離である。また、表１に条件式の関連データを各実施例について示し、表２に条件式対応値を各実施例について示す。
【００５４】
図５〜図８は、実施例１〜実施例４（ＥＸ１〜ＥＸ４）にそれぞれ対応する縦収差図（通常時（偏心前），無限遠合焦状態）であり、（Ａ）〜（Ｃ）：広角端（Ｗ），（Ｄ）〜（Ｆ）：中間焦点距離状態（Ｍ），（Ｇ）〜（Ｉ）：望遠端（Ｔ）における諸収差を示している。図５〜図８において、（Ａ），（Ｄ），（Ｇ）は球面収差図、（Ｂ），（Ｅ），（Ｈ）は非点収差図、（Ｃ），（Ｆ），（Ｉ）は歪曲収差図である。球面収差図は、実線で示すｄ線（波長５８７．５６ｎｍ）に対する球面収差量、一点鎖線で示すＣ線（波長６５６．２８ｎｍ）に対する球面収差量、破線で示すｇ線（波長４３５．８４ｎｍ）に対する球面収差量を、それぞれ近軸像面からの光軸ＡＸ方向のズレ量（単位：ｍｍ）で表しており、縦軸は瞳への入射高さをその最大高さで規格化した値（すなわち相対瞳高さ）を表している。非点収差図において、破線Ｔはｄ線に対するタンジェンシャル像面、実線Ｓはｄ線に対するサジタル像面を、近軸像面からの光軸ＡＸ方向のズレ量（単位：ｍｍ）で表しており、縦軸は像高（ＩＭＧ  ＨＴ，単位：ｍｍ）を表している。歪曲収差図において、横軸はｄ線に対する歪曲（単位：％）を表しており、縦軸は像高（ＩＭＧ  ＨＴ，単位：ｍｍ）を表している。なお、像高ＩＭＧ  ＨＴの最大値は、撮像素子ＳＲの受光面ＳＳの対角長の半分に相当する。
【００５５】
図９〜図１１，図１２〜図１４，図１５〜図１７，図１８〜図２０は、実施例１〜実施例４（ＥＸ１〜ＥＸ４）にそれぞれ対応する横収差図であり、各焦点距離状態Ｗ，Ｍ，Ｔにおける通常時（偏心前）の横収差（ｍｍ）を示している。図９〜図２０のそれぞれにおいて、（Ａ）〜（Ｃ）はタンジェンシャル光束での横収差を示しており、（Ｄ）〜（Ｆ）はサジタル光束での横収差を示している。また、ＲＥＬＡＴＩＶＥ  ＦＩＥＬＤ  ＨＥＩＧＨＴで表されている像高比（半画角ω°）での横収差を、実線で示すｄ線（波長５８７．５６ｎｍ）、一点鎖線で示すＣ線（波長６５６．２８ｎｍ）、破線で示すｇ線（波長４３５．８４ｎｍ）について示している。なお像高比は、像高を最大像高Ｙ’で規格化した相対的な像高である。
【００５６】
実施例１
単位：mm
面データ
面番号            r           d          nd          vd
1            53.353       1.200      1.8467       23.78
2            34.674       6.416      1.4970       81.61
3           402.870       0.100
4            38.442       4.236      1.6968       55.46
5           191.178          d5
6           312.305       0.800      1.9108       35.25
7            11.384       4.798
8           -33.732       0.800      1.7725       49.62
9            34.947       0.100
10           21.959       3.793      1.8467       23.78
11          -24.154       0.854
12          -18.083       0.800      1.8348       42.72
13         -130.439         d13
14(絞り)         ∞       0.100
15*          15.000       2.454      1.7308       40.50
16*         -64.765       3.097
17          -97.252       0.800      1.9037       31.31
18           11.577       4.360      1.4970       81.61
19          -12.667         d19
20*        -968.683       3.846      1.5831       59.38
21*         -35.765         d21
22          -66.082       0.800      1.8348       42.72
23           22.247         d23
24           35.757       2.171      1.6727       32.17
25         -658.266      13.500
26               ∞       4.200      1.5168       64.20
27               ∞          BF
【００５７】
非球面データ
K              A4               A6               A8
第15面     0.00000      7.4222E-06      -9.8313E-09       1.9918E-09
第16面     0.00000      8.6528E-05      -1.1015E-08      -1.3227E-10
第20面     0.00000     -1.1988E-04      -9.3860E-07       0.0000E+00
第21面     0.00000     -1.2049E-04      -6.4789E-07       0.0000E+00
【００５８】
各種データ
ズーム比           6.95
広角(W)     中間(M)     望遠(T)
焦点距離         14.260      37.580      99.050
Fナンバー         3.500       5.000       5.600
半画角(度)       37.186      16.056       6.231
像高              9.717      11.198      11.406
レンズ全長       94.980      98.931     109.980
BF                1.050       1.050       1.050
d5                2.000      14.277      26.978
d13              23.992       8.813       2.000
d19               2.489       3.893      13.003
d21               2.594       7.308       2.000
d23               3.630       4.364       5.723
【００５９】
ズームレンズ群データ
群     始面      焦点距離
1      1           53.023
2      6          -10.787
3      15          19.161
4      20          63.589
5      22         -19.855
6      24          50.479
【００６０】
実施例２
単位：mm
面データ
面番号            r           d          nd          vd
1            45.466       1.200      1.8467       23.78
2            31.613       5.943      1.4970       81.61
3           250.961       0.100
4            44.010       3.874      1.6968       55.46
5           226.794          d5
6          -851.489       0.800      1.9108       35.25
7            10.873       4.711
8           -35.933       0.800      1.8042       46.50
9           443.298       0.166
10           20.941       2.943      1.9229       20.88
11          -82.200       0.800      1.8348       42.72
12           37.313         d12
13(絞り)         ∞       0.100
14*          16.355       4.031      1.7308       40.50
15*         -24.902       2.084
16          -24.142       1.883      1.9037       31.31
17           13.821       6.282      1.4970       81.61
18          -11.790         d18
19*        -802.917       4.200      1.5891       61.25
20*         -35.420         d20
21          -86.192       0.800      1.8348       42.72
22           21.050       3.674
23           44.976       2.646      1.6730       38.15
24          -88.794         d24
25               ∞       4.200      1.5168       64.20
26               ∞          BF
【００６１】
非球面データ
K              A4               A6               A8
第14面     0.00000     -5.4651E-06       1.0123E-07       9.6859E-09
第15面     0.00000      8.2055E-05       1.3694E-07       9.7214E-09
第19面     0.00000     -1.1413E-04      -7.1734E-07       0.0000E+00
第20面     0.00000     -1.1072E-04      -4.8996E-07       0.0000E+00
【００６２】
各種データ
ズーム比           6.95
広角(W)     中間(M)     望遠(T)
焦点距離         14.260      37.590      99.060
Fナンバー         3.600       5.000       5.500
半画角(度)       37.182      16.053       6.231
像高              9.721      11.319      11.684
レンズ全長       99.643     102.280     113.387
BF                1.050       1.050       1.050
d5                2.249      14.243      28.562
d12              26.227       8.973       2.081
d18               2.373       4.308      14.711
d20               2.805       8.179       2.115
d24              13.702      14.289      13.631
【００６３】
ズームレンズ群データ
群     始面      焦点距離
1      1           55.083
2      6          -11.414
3      14          20.822
4      19          62.771
5      21         -44.660
【００６４】
実施例３
単位：mm
面データ
面番号            r           d          nd          vd
1            55.637       1.200      1.8467       23.78
2            35.997       5.169      1.4970       81.61
3           688.516       0.100
4            41.080       4.006      1.6968       55.46
5           195.320          d5
6          -454.535       0.800      1.9108       35.25
7            10.583       4.625
8           -30.504       0.800      1.8810       40.14
9            29.951       0.100
10           22.006       2.919      1.9229       20.88
11          -61.375         d11
12(絞り)         ∞       0.100
13*          15.660       4.639      1.7308       40.50
14*         -48.995       2.624
15          -48.941       0.800      1.9037       31.31
16           12.525       7.782      1.4970       81.61
17          -12.999         d17
18*        -940.006       4.200      1.5831       59.46
19*         -36.781         d19
20          -54.041       0.800      1.8830       40.80
21           22.058       1.000      1.4970       81.61
22           23.898       1.948
23           29.826       2.894      1.6541       39.68
24         -131.437         d24
25               ∞       4.200      1.5168       64.20
26               ∞          BF
【００６５】
非球面データ
K              A4               A6               A8
第13面     0.00000      1.6992E-05       1.5202E-07       1.0224E-08
第14面     0.00000      9.3824E-05       3.0875E-07       1.2966E-08
第18面     0.00000     -1.0940E-04      -6.1173E-07       0.0000E+00
第19面     0.00000     -1.0586E-04      -4.3117E-07       0.0000E+00
【００６６】
各種データ
ズーム比           6.95
広角(W)     中間(M)     望遠(T)
焦点距離         14.260      37.580      99.050
Fナンバー         3.600       5.000       5.500
半画角(度)       37.185      16.056       6.231
像高              9.720      11.078      11.484
レンズ全長       99.980     103.937     113.974
BF                1.050       1.050       1.050
d5                2.301      13.711      30.225
d11              26.501       8.831       2.045
d17               2.392       3.802      14.447
d19               3.530       8.133       2.000
d24              13.500      17.703      13.500
【００６７】
ズームレンズ群データ
群     始面      焦点距離
1      1           55.323
2      6          -11.763
3      13          21.854
4      18          65.531
5      20         -40.815
【００６８】
実施例４
単位：mm
面データ
面番号            r           d          nd          vd
1            55.068       1.200      1.8467       23.78
2            35.333       5.320      1.4970       81.61
3           482.141       0.100
4            39.209       4.129      1.6968       55.46
5           183.047          d5
6         -6788.303       0.800      1.8830       40.80
7            10.292       4.753
8           -34.335       0.800      1.8830       40.80
9            32.325       0.100
10           21.895       2.847      1.9229       20.88
11         -104.275         d11
12(絞り)         ∞       0.100
13*          15.819       4.124      1.7308       40.50
14*         -50.999       2.696
15          -38.375       0.800      1.9037       31.31
16           13.826       6.345      1.4970       81.61
17          -12.402         d17
18*      224178.550       4.200      1.5831       59.46
19          -33.203       2.000      1.8820       37.22
20*         -34.848         d20
21          -45.157       0.800      1.8830       40.80
22           24.457       0.963      1.4970       81.61
23           23.855       1.604
24           28.021       3.034      1.6541       39.68
25         -101.530         d25
26               ∞       4.200      1.5168       64.20
27               ∞          BF
【００６９】
非球面データ
K              A4               A6               A8
第13面     0.00000      2.0212E-05       4.4038E-07       1.2928E-08
第14面     0.00000      9.6020E-05       7.0304E-07       1.6560E-08
第18面     0.00000     -8.8546E-05       2.7168E-08       0.0000E+00
第20面     0.00000     -5.0144E-05       0.0000E+00       0.0000E+00
【００７０】
各種データ
ズーム比           6.95
広角(W)     中間(M)     望遠(T)
焦点距離         14.260      37.580      99.060
Fナンバー         3.600       5.000       5.500
半画角(度)       37.184      16.054       6.231
像高              9.729      11.008      11.383
レンズ全長       99.980     104.333     113.986
BF                1.050       1.050       1.050
d5                2.178      13.391      29.559
d11              26.288       9.032       2.379
d17               2.387       4.195      14.395
d20               3.661       8.061       2.000
d25              13.500      17.688      13.688
【００７１】
ズームレンズ群データ
群     始面      焦点距離
1      1           55.323
2      6          -11.763
3      13          21.854
4      18          65.531
5      21         -40.815
【００７２】
【表１】
2014238549.tif 000003
【００７３】
【表２】
2014238549.tif 000004
【符号の説明】
【００７４】
ＤＵ    デジタル機器
ＬＵ    撮像光学装置
ＺＬ    ズームレンズ（変倍光学系）
Ｇｒ１    第１群
Ｇｒ２    第２群
Ｇｒ３    第３群
Ｇｒ４    第４群
Ｇｒ５    第５群
Ｇｒ６    第６群
ＧｒＶ    防振群
ＳＴ    絞り（開口絞り）
ＳＲ    撮像素子
ＳＳ    受光面（撮像面）
ＩＭ    像面（光学像）
ＡＸ    光軸
１    信号処理部
２    制御部
３    メモリー
４    操作部
５    表示部
【図１】
2014238549.tif 000005
【図２】
2014238549.tif 000006
【図３】
2014238549.tif 000007
【図４】
2014238549.tif 000008
【図５】
2014238549.tif 000009
【図６】
2014238549.tif 000010
【図７】
2014238549.tif 000011
【図８】
2014238549.tif 000012
【図９】
2014238549.tif 000013
【図１０】
2014238549.tif 000014
【図１１】
2014238549.tif 000015
【図１２】
2014238549.tif 000016
【図１３】
2014238549.tif 000017
【図１４】
2014238549.tif 000018
【図１５】
2014238549.tif 000019
【図１６】
2014238549.tif 000020
【図１７】
2014238549.tif 000021
【図１８】
2014238549.tif 000022
【図１９】
2014238549.tif 000023
【図２０】
2014238549.tif 000024
【図２１】
2014238549.tif 000025